(57)【要約】【課題】アルミニウム型材からなる縦框と横框から構成される門扉において、簡単且つ正確に戸幅調節を可能とし、堅固な門扉を提供する。【解決手段】縦框２の内側上下端部に形成した横框受部２２に横框３を挿嵌し、縦框２の横框取付壁２１に穿設したネジ挿通孔２６から挿入する固定ネジ５を横框３のタッピングホール３１に螺入して縦框２と横框３を連結し、中央部に切欠７１を設けたスペーサーブロック７を縦框２の上下端部から挿入し、スペーサーブロック７の切欠７１に固定ネジ５の中間部５１が嵌合し、スペーサーブロック７を縦框２の横框取付壁２１と横框３の側端面の間に介在させた。【選択図】図１
0003099634.tif 000002
【実用新案登録請求の範囲】
【請求項１】
　内部に横框取付壁を形成したアルミニウム型材により縦框を形成し、内部に長手方向にわたってタッピングホールを形成したアルミニウム型材により横框を形成し、縦框の内側上下端部に形成した横框受部に横框の側端部を挿嵌し、縦框の横框取付壁に穿設したネジ挿通孔を挿通する固定ネジを横框のタッピングホールに螺合して縦框と横框を枠組みし、切欠を設けたスペーサーブロックを縦框の上下端部から挿入し、スペーサーブロックの切欠を前記固定ネジに嵌合し、前記スペーサーブロックを縦框の横框取付壁と横框の側端面との間に１個あるいは複数個介在させたことを特徴とする門扉。
【考案の詳細な説明】
【技術分野】
【０００１】
　この考案は門扉に関するものであり、特にアルミニウム製型材からなる縦框と横框を枠組みして構成される門扉において、その戸幅を調節可能としたものである。
【背景技術】
【０００２】
　住宅の玄関等に門扉が設置されているが、最近ではアパート、マンション等の集合住宅の玄関に設置されるものが増えている。
　例えば図６に示したように、集合住宅の玄関に設置する場合、玄関ドアに通じる通路の幅Ｓに合わせて門扉が設置されているけれども、建物に応じて通路幅Ｓは個々に異なるため、汎用の蝶番を用いてこれを調節することにより、門扉を通路幅Ｓに合わせることは至難であり、通路幅Ｓに合わせた戸幅を有する門扉を夫々用意する必要があった。
【０００３】
　このような問題を解決する手段として、特許文献１乃至特許文献４には、扉体を構成する横桟を分割し、扉体の幅方向にスライドさせて、所定の位置でネジ止めしたものが提案されている。
【０００４】
【特許文献１】実用新案登録第２５４４３２８号公報
【特許文献２】実公昭６３−３４０７７号公報
【特許文献３】実公昭６３−１６４８０号公報
【特許文献４】実公昭６３−１６４７９号公報
【考案の開示】
【考案が解決しようとする課題】
【０００５】
　しかしながら、従来のネジ止めによる戸幅調節によれば、長期の使用によってネジに緩みが発生し、扉体にガタツキが生じるものであった。また、通常は施工現場において戸幅調節を行うため、ネジ締め位置のバラツキによって、門扉の上下部における戸幅が一致しない等の不具合が生じるものであった。
【０００６】
　本考案は、この種門扉本体を堅固な状態として、その戸幅調節が容易に行い得る門扉を提供することを目的とする。
【課題を解決するための手段】
【０００７】
　本考案者らは、このような事情に鑑み鋭意検討を重ねた結果、内部に横框取付壁を形成したアルミニウム型材により縦框を形成し、内部に長手方向にわたってタッピングホールを形成したアルミニウム型材により横框を形成し、縦框の内側上下端部に形成した横框受部に横框の側端部を挿嵌し、縦框の横框取付壁に穿設したネジ挿通孔を挿通する固定ネジを横框のタッピングホールに螺合して縦框と横框を枠組みし、切欠を設けたスペーサーブロックを縦框の上下端部から挿入し、スペーサーブロックの切欠を前記固定ネジに嵌合し、前記スペーサーブロックを縦框の横框取付壁と横框の側端面との間に１個あるいは複数個介在させたことにより、所期の目的を達成しうることを認め本考案を完成するに至った。
【考案の効果】
【０００８】
　この考案によれば、所定の厚みのスペーサーブロックに切欠を形成し、この切欠に縦框と横框を連結する固定ネジの中間部を嵌合し、スペーサーブロックを縦框の横框取付壁と横框の側端面との間に介在させることにより、門扉の戸幅をスペーサーブロックの単位幅に応じて正確に調節することが可能となり、これらの作業は、縦框と横框を枠組した後にスペーサーブロックを縦框の上下端部から挿入するだけで簡単に行うことができ、縦框と横框を連結する固定ネジは横框のタッピングホールに強固に螺合させることによって堅固な扉体が得られる。
【考案を実施するための最良の形態】
【０００９】
　本考案の実施に当って使用するスペーサーブロックの厚さは、２〜１０ｍｍの範囲であり、その材質としては金属、樹脂等のある程度の硬さを有するものであれば、何れでも使用できるが、コスト、重量、熱膨張等の観点からアルミニウム製の板材を加工したものが好ましい。
【００１０】
　縦框の横框取付壁は内部に形成した隔壁とすべきであり、隔壁によって縦框自体の剛性を高め、スペーサーブロックを介して取付けられる横框を安定して支持することができ、戸幅調節における寸法安定性が改善される。
【実施例１】
【００１１】
　以下、本考案を実施例に基づき具体的に説明する。
　図中１は本考案の一例を示す門扉であり、縦框２と横框３により枠組みされており、上下の横框３、３の間には装飾パネル４が配設されている。
　縦框２は断面が略方形状のアルミニウム製の型材からなるもので、中空状内部には隔壁状となった横框取付壁２１が一体的に形成されている。縦框２の内側上下端部には横框受部２２、２２が形成され、横框受部２２、２２は縦框２の上下端開口部２３、２３に連続して縦框２の内側壁２４に形成されている。さらに、横框受部２２、２２が形成された位置に対応して、ネジ挿通用孔２６が横框取付壁２１と外側壁２５に穿設されている。また、戸当り側の縦框２には錠装置２７が設けられている。
【００１２】
　横框３は断面が略方形状のアルミニウム製の型材からなるもので、横框３の中空状内部にはタッピングホール３１が長手方向にわたって一体的に形成されている。タッピングホール３１が形成される位置は、横框３の端部が縦框２の横框受部２２に挿入された際に、縦框２のネジ挿通用孔２６の位置に対応するよう形成されている。
【００１３】
　このように縦框２と横框３は、横框受部２２、２２に上下の横框３、３の側端部を挿嵌し、縦框２の外側から固定ネジ５をネジ挿通用孔２６を挿通して、横框３のタッピングホール３１に固定ネジ５を螺入することにより、門扉１の四隅において縦框２と横框３が連結される。なお、図中６は補強プレートであり、横框取付壁２１の変形を防止している。
【００１４】
　図中７はスペーサブロックであり、厚み５ｍｍのアルミニウム製の板材を加工して造られている。スペーサブロック７の中央部には切欠７１が形成されており、スペーサブロック７は二股状となった形態を呈している。
　スペーサブロック７は予め縦框２と横框３を固定ネジ５により枠組した状態において、縦框２の上端開口部２３と下端開口部２３から、切欠７１に固定ネジ５の中間部５１が嵌合するよう挿入する。スペーサーブロック７を上下端開口部２３、２３から挿入した後、開口部２３と嵌合するキャップ８により、開口部２３、２３が塞がれる。
【００１５】
　なお、門扉１の一側における縦框２の上下に設けられるスペーサブロック７の数は同じであり、図１に示されるように上側に３個のスペーサーブロック７をセットした場合、下側にも３個のスペーサーブロック７がセットされ、門扉１の上下部における戸幅調節量は同じとなる。門扉１の戸幅調節範囲は、スペーサーブロック７が外部に露出して見栄えを悪化させることのないよう、横框取付壁２１と縦框２の内側壁２４の範囲に止めるべきである。
【００１６】
　上記構成からなる本考案門扉によれば、図４に示したスペーサーブロック７を設けていない戸幅Ｌの門扉１を図５に示した戸幅Ｌ１の門扉に変更する場合、戸幅の調整量（Ｌ１−Ｌ）に相当する厚み分のスペーサーブロック７を、予め固定ネジ５により枠組した縦框２の上端開口部２３と下端開口部２３から挿入し、固定ネジ５が回らなくなる位置まで締付けることによって、門扉１の戸幅調節が完了する。
　本考案の門扉１は、スペーサーブロック７の個数若しくは厚みを変更することにより戸幅調節を行い得るので、ネジ締め量に関係なく、簡単にしかも正確な調節が可能となる。
【００１７】
　本実施例においてスペーサーブロック７の厚みは、同じものを揃えたが、厚みの異なるスペーサーブロック７を用意し、これらを組み合わせて使用することも可能である。また、縦框２の横框受部２２は、横框３の断面形状に対応した形状としたが、縦框２の内側壁２４を全て切除した構成とすることも可能である。さらに、横框取付壁２１は縦框２の隔壁を利用したが、隔壁を設けず、外側壁２５を横框取付壁とすることも可能である。
【産業上の利用可能性】
【００１８】
　この考案は、門扉の戸幅調節を簡単に行い得ると共に、耐久性に富んだ門扉を提供し得るので、アパート、マンション等の通路幅の異なった場所における門扉の施工において顕著な効果が認められる。
【図面の簡単な説明】
【００１９】
【図１】本考案門扉の要部を示す分解斜視図
【図２】本考案門扉の要部を示す縦断面図
【図３】本考案門扉の要部を示す横断面図
【図４】本考案門扉のスペーサーブロックを装着しない状態を示す正面図
【図５】本考案門扉のスペーサーブロックを装着した状態を示す正面図
【図６】本考案門扉の全体図
【符号の説明】
【００２０】
　１　　門扉
　２　　縦框
　３　　横框
　５　　固定ネジ
　７　　スペーサーブロック
　８　　キャップ
２１　横框取付壁
２２　横框受部
２３　開口部
２６　ネジ挿通孔
３１　タッピングホール
７１　切欠
【図１】
0003099634.tif 000003
【図２】
0003099634.tif 000004
【図３】
0003099634.tif 000005
【図４】
0003099634.tif 000006
【図５】
0003099634.tif 000007
【図６】
0003099634.tif 000008